(57)【要約】【課題】    被支持物を固定する固定手段を摺動可能に支持する支持棒の錆を防止することができる支持具を提供する。【解決手段】支持棒と、被支持物を固定し、支持棒に対して摺動可能に支持される固定手段と、を備えてなる、被支持物を支持する支持具であって、支持棒の固定手段に当接する部分が、樹脂製の棒状部材により形成されているものである、支持具である。また、固定手段が、支持棒を両側から挟み込む一対の板状又は棒状の部材により形成される挟持腕であって支持棒を回動軸として所定範囲内で互いに回動可能な一対の挟持腕と、挟持腕の一方の一端と他方の一端とが近づく方向に挟持腕を付勢するバネと、を有し、該両一端の間に被支持物を挟持するものであってもよい。【選択図】  図２
0003119218.tif 000002
【実用新案登録請求の範囲】
【請求項１】
支持棒と、
被支持物を固定し、支持棒に対して摺動可能に支持される固定手段と、
を備えてなる、被支持物を支持する支持具であって、
支持棒の固定手段に当接する部分が、樹脂製の棒状部材により形成されているものである、支持具。
【請求項２】
固定手段が、支持棒を両側から挟み込む一対の板状又は棒状の部材により形成される挟持腕であって支持棒を回動軸として所定範囲内で互いに回動可能な一対の挟持腕と、挟持腕の一方の一端と他方の一端とが近づく方向に挟持腕を付勢するバネと、を有し、該両一端の間に被支持物を挟持するものである、請求項１に記載の支持具。
【請求項３】
前記支持具は、前記支持棒を摺動可能に支持する支持部材をさらに備えるものであり、
前記支持棒の支持部材に当接する部分が、樹脂製の棒状部材により形成されているものである、請求項１又は２に記載の支持具。
【請求項４】
前記支持棒が、樹脂製の中空のパイプと、該中空のパイプの内部に挿入された金属棒と、を有するものである、請求項１乃至３のいずれか１に記載の支持具。
【請求項５】
前記被支持物が広告媒体である、請求項１乃至４のいずれか１に記載の支持具。
【考案の詳細な説明】
【技術分野】
【０００１】
本考案は、被支持物を支持する支持具に関し、より詳細には、被支持物を固定する固定手段を摺動可能に支持する支持棒に錆が発生することを防止することができる支持具に関する。
【背景技術】
【０００２】
被支持物（支持される物）を支持するために様々な支持具が用いられてきた。
例えば、スーパーマーケット、デパート、個人商店等のような商品を販売する店舗において、商品の価格や品名等を表示したシート状や板状の広告媒体（被支持物）を顧客にわかりやすく配置するために、広告媒体を支持する支持具が多用されてきた（例えば、特許文献１参照）。
特許文献１に記載の支持具は、「第１支持棒と、該第１支持棒の一端を支持する支持手段と、該第１支持棒の長手方向に対してその長手方向が略垂直になるように該第１支持棒の他端に取り付けられた第２支持棒と、該第２支持棒の一端に取り付けられ、被支持物を固定する第１固定手段と、該第２支持棒の他端に取り付けられ、被支持物を固定する第２固定手段と、を備えてなる、支持具」（特許文献１の請求項１）であり、より詳細には、「第１固定棒２３に取り付けられたクリップ２５ａ、２５ｂと、・・・・・第２固定棒３３に取り付けられたクリップ３５ａ、３５ｂと、を備えている」（特許文献１の段落番号００１８後半部分）ものであり、「第１固定棒２３にはクリップ２５ａ、２５ｂが取り付けられている。クリップ２５ａ、２５ｂは、いずれもばねの付勢力により被支持物たるビラ（広告媒体）を挟持するものであり、第１固定棒２３の長手方向（図１及び図２中、矢印Ｅ方向）に沿って所定範囲内で移動することができ」（特許文献１の段落番号００２２前半部分）そして「第２固定棒３３にはクリップ３５ａ、３５ｂが取り付けられている。クリップ３５ａ、３５ｂは、いずれもばねの付勢力により被支持物たるビラ（広告媒体）を挟持するものであり、第２固定棒３３の長手方向（図１及び図２中、矢印Ｆ方向）に沿って所定範囲内で移動することができる」（特許文献１の段落番号００２４前半部分）ものである。
【０００３】
【特許文献１】登録実用新案第３１０１８９７号公報（実用新案登録請求の範囲、考案の詳細な説明の段落番号００１７〜００２５、第１図〜第４図等）
【考案の開示】
【考案が解決しようとする課題】
【０００４】
特許文献１に記載の支持具においては、「第１固定棒２３は、直線に沿った真っ直ぐな棒状部材（鋼材製）から構成され」（特許文献１の段落番号００２１前半部分）ると共に「第２固定棒３３は、直線に沿った真っ直ぐな棒状部材（鋼材製）から構成されており」（特許文献１の段落番号００２３前半部分）、これら鋼材製の第１固定棒２３及び第２固定棒３３が錆びることを防止するには第１固定棒２３及び第２固定棒３３の鋼材表面が空気や湿気に直接接触しないように該鋼材表面を塗装したり被覆していた。
しかしながら、クリップ２５ａ、２５ｂ、３５ａ、３５ｂが固定棒２３、３３に対して移動し摩擦することにより、固定棒２３、３３の鋼材表面に施された塗装や被覆が剥離したり傷つき、固定棒２３、３３の鋼材表面に錆が発生するという問題があった。
そこで、本考案では、被支持物を固定する固定手段（特許文献１においてはクリップ２５ａ、２５ｂ、３５ａ、３５ｂ）を摺動可能に支持する支持棒（特許文献１においては固定棒２３、３３）の錆を防止することができる支持具を提供することを目的とする。なお、「摺動可能に支持」するとは、特許文献１に記載のように固定手段が支持棒（固定棒２３、３３）の長手方向に沿って移動（スライド）可能であることのみならず、固定手段が支持棒（固定棒２３、３３）を中心に回動又は回転（回動等）可能であることをも含む概念である。
【課題を解決するための手段】
【０００５】
本考案の支持具（以下、「本支持具」という。）は、支持棒と、被支持物を固定し、支持棒に対して摺動可能に支持される固定手段と、を備えてなる、被支持物を支持する支持具であって、支持棒の固定手段に当接する部分が、樹脂製の棒状部材により形成されているものである、支持具である。
ここに「支持棒に対して摺動可能に支持される固定手段」とは、前述の通り、固定手段が支持棒の長手方向に沿って移動（以下、「スライド」という。）可能であることと、固定手段が支持棒を中心に回動又は回転（以下、「回動等」という。）可能であること、とのいずれも含む（従って、本考案においては、固定手段が支持棒に対してスライド可能で回動等不可能な場合、固定手段が支持棒に対してスライド不可能で回動等可能な場合、そして固定手段が支持棒に対してスライド可能で回動等可能な場合、との３つのいずれの場合をも含む。）。
また、ここでは樹脂として様々なものを用いることができ、一例を挙げれば、ポリオレフィン（例えば、ポリエチレンやポリプロピレン等）、ポリエステル（例えば、ポリエチレンテレフタレート）、ポリカーボネート、ポリアミド、ポリスチレン、塩化ビニル樹脂、エポキシ樹脂、メラミン樹脂、フェノール樹脂等を例示することができる。
本支持具は、支持棒と固定手段とを備えており、固定手段は支持棒に対して摺動可能に支持される。このため被支持物を固定する固定手段は、支持棒に対する位置を調節することができ、支持される被支持物の位置を適した位置へうまく調節しやすくなる。加えて、支持棒の固定手段に当接する部分が樹脂製の棒状部材（支持棒の固定手段に当接する部分が樹脂製であればよく、後述するように、樹脂により形成された部分が中空のパイプ状であってもよい。）により形成されているので、特許文献１に記載の支持具のように固定手段（クリップ２５ａ、２５ｂ、３５ａ、３５ｂ）が支持棒（固定棒２３、３３）に対して摺動可能に支持されても、支持棒（固定棒２３、３３）の鋼材表面に施された塗装や被覆が剥離し支持棒の表面に錆が生じることがない。即ち、本支持具は、被支持物を固定する固定手段を摺動可能に支持する支持棒の錆を防止することができる支持具である。
【０００６】
固定手段が、支持棒を両側から挟み込む一対の板状又は棒状の部材により形成される挟持腕であって支持棒を回動軸として所定範囲内で互いに回動可能な一対の挟持腕と、挟持腕の一方の一端と他方の一端とが近づく方向に挟持腕を付勢するバネと、を有し、該両一端の間に被支持物を挟持するものであってもよい。
支持棒を両側から挟み込む一対の板状又は棒状の部材により形成される挟持腕であって支持棒を回動軸として所定範囲内で互いに回動可能な一対の挟持腕と、挟持腕の一方の一端と他方の一端とが近づく方向に挟持腕を付勢するバネと、を有し、該両一端（挟持腕の一方の一端と、挟持腕の他方の一端）の間に被支持物を挟持する固定手段は、支持棒に対して摺動可能に支持される固定手段として多用されている（例えば、特許文献１のクリップ２５ａ、２５ｂ、３５ａ、３５ｂ）。かかる固定手段は簡単な構成で支持棒に対してうまく摺動可能に支持されるものであるが、支持棒に対して固定手段がスライドしたり回動等する際に固定手段と支持棒との摩擦により支持棒の表面に施された塗装や被覆が剥離したり傷つき、これまでは支持棒表面に錆が発生する問題が発生しがちであった。このため本支持具の特徴のように、支持棒の固定手段に当接する部分が樹脂製の棒状部材により形成されるようにすれば、支持棒の鋼材表面に施された塗装や被覆が剥離し支持棒の表面に錆が生じることがないので、このような一対の挟持腕とそれを付勢するバネとを有する固定手段を錆の問題なく用いることができる。
【０００７】
前記支持具は、前記支持棒を摺動可能に支持する支持部材をさらに備えるものであり、前記支持棒の支持部材に当接する部分が、樹脂製の棒状部材により形成されているものであってもよい。
ここに「支持棒を摺動可能に支持する支持部材」とは、支持部材に対して支持棒が支持棒の長手方向に沿って移動（スライド）可能に支持されていることと、支持部材に対して支持棒が支持棒の軸を中心に回動又は回転（回動等）可能に支持されていること、とのいずれも含む（従って、支持部材に対して支持棒がスライド可能で回動等不可能な場合、支持部材に対して支持棒がスライド不可能で回動等可能な場合、そして支持部材に対して支持棒がスライド可能で回動等可能な場合、との３つのいずれの場合をも含む。）。
この樹脂として様々なものを用いることができ、一例を挙げれば、ポリオレフィン（例えば、ポリエチレンやポリプロピレン等）、ポリエステル（例えば、ポリエチレンテレフタレート）、ポリカーボネート、ポリアミド、ポリスチレン、塩化ビニル樹脂、エポキシ樹脂、メラミン樹脂、フェノール樹脂等を例示することができる。
このように支持部材に対して支持棒が摺動可能に支持されることで、支持部材に対する支持棒の位置を調節することができ、それにより支持棒に支持される固定手段（即ち、固定手段に支持される被支持物）の位置を適した位置へうまく調節しやすくなる。このようにすると支持棒が支持部材に対して摺動し摩擦することにより、支持棒の鋼材表面に施された塗装や被覆が剥離したり傷つき支持棒の鋼材表面に錆が発生する可能性があるが、支持棒の支持部材に当接する部分が樹脂製の棒状部材により形成されることにより、支持部材に対して支持棒が摺動可能に支持されても、支持棒の鋼材表面に施された塗装や被覆が剥離し支持棒の表面に錆が生じることがない。
【０００８】
前記支持棒が、樹脂製の中空のパイプと、該中空のパイプの内部に挿入された金属棒と、を有するものであってもよい。
ここに中空のパイプを形成する樹脂としては様々なものを用いることができ、一例を挙げれば、ポリオレフィン（例えば、ポリエチレンやポリプロピレン等）、ポリエステル（例えば、ポリエチレンテレフタレート）、ポリカーボネート、ポリアミド、ポリスチレン、塩化ビニル樹脂、エポキシ樹脂、メラミン樹脂、フェノール樹脂等を例示することができる。
このように金属（例えば、鋼材、銅、アルミニウム、チタン等）棒を支持棒が有することで、被支持物を固定した固定手段を支持する支持棒に十分な強度を与えることができる。また、支持棒の外面が樹脂製の中空のパイプにより形成されるので、支持棒の固定手段に当接する部分を、樹脂製の棒状部材（ここでは樹脂製の中空のパイプ）によりうまく形成することができる。また、本支持具が、前記支持棒を摺動可能に支持する支持部材をさらに備えるものであり、前記支持棒の支持部材に当接する部分が、樹脂製の棒状部材により形成される場合では、支持棒の支持部材に当接する部分を、樹脂製の棒状部材（ここでは樹脂製の中空のパイプ）によりうまく形成することができる。
【０００９】
前記被支持物が広告媒体であってもよい。
商品を販売する店舗等において用いられるチラシ、ビラ、ポスター等のような広告媒体は様々な寸法及び形状のものがあり、このため被支持物が広告媒体であれば、被支持物を固定する固定手段は、支持棒に対する位置を頻繁に調節する必要がある。この固定手段の支持棒に対する位置調節に際し、支持棒と固定手段とが頻繁かつ強く摺動し摩擦しても、本支持具では支持棒の固定手段に当接する部分が樹脂製の棒状部材により形成されているので、支持棒の鋼材表面に施された塗装や被覆が剥離し支持棒の表面に錆が生じることがない。
【考案を実施するための最良の形態】
【００１０】
本考案の実施の形態を図面を参照して詳述するが、本考案はこれに限定されるものではない。
【００１１】
図１は、一例の本考案の支持具（本支持具）１１を示す正面図であり、図２は図１のＡ−Ａ断面図（図１のＢ−Ｂ断面も同様の断面構造を有している。）であり、図３はクリップ５１ａ、５１ｂの平面図（図２及び図１中、矢印Ｃ方向から見たところを示している。）であり、図４は図３のＤ−Ｄ断面図である。図１乃至図４を参照して、本支持具１１について説明する。なお、後述するように、クリップ５１ａ、５１ｂはいずれも同じ構造を有しており、図２乃至図４においては主としてクリップ５１ａについて示すが、クリップ５１ｂに関する参照番号をかっこ書きにて併記している。また、ここでは本支持具１１は、テーブル１０３（鋼製）の水平な上面１０１に載置されている（図１参照）。
本支持具１１は、大まかには、基礎部分２１と、基礎部分２１に一端が回動自在に取り付けられた第１支持部３１と、第１支持部３１の他端に形成された貫通孔３５ｈに貫入（内嵌）された第２支持部４１と、第２支持部４１に摺動可能に支持されたクリップ５１ａ、５１ｂと、を備えている。
【００１２】
基礎部分２１は、テーブル１０３（鋼製）の水平な上面１０１に下面が吸着する板状の永久磁石２３と、永久磁石２３の上面に下面が取り付けられた（接着された）板状の本体部２５（樹脂製）と、本体部２５の上面から突出するように本体部２５と一体に形成された取付部２７（樹脂製）と、第１支持部３１（後述の第１棒状部３３）の一端（ここでは下端）と取付部２７とを回動可能に連結する連結ねじ２９と、を有している。
これにより基礎部分２１は、第１支持部３１が所定範囲内で回動自在（連結ねじ２９を回動中心とする図１中、矢印Ｅにて示した回動。）になるよう第１支持部３１の一端（ここでは下端）をテーブル１０３（鋼製）の水平な上面１０１に対し支持する。
【００１３】
第１支持部３１は、基礎部分２１（取付部２７）に一端（ここでは下端）が回動自在（図１中、矢印Ｅ）に取り付けられた第１棒状部３３（樹脂（ポリプロピレン）製の丸棒）と、第１棒状部３３の他端（ここでは上端）に回動自在（図１中、矢印Ｆ）に取り付けられた貫通部材３５と、を有している。貫通部材３５は、第１棒状部３３の他端（ここでは上端）に外嵌されるように取り付けられることで回動自在（図１中、矢印Ｆ）にされると共に、貫通部材３５が有する貫通孔３５ｈに第２支持部４１（後述の第２棒状部４３）が貫入（内嵌）されることで第２支持部４１を支持する。なお、貫通部材３５が有する貫通孔３５ｈは、第１棒状部３３の長手方向（図１中、矢印Ｇ）に対して略垂直方向に向かって穿設されているので、貫通孔３５ｈに貫入される第２支持部４１（後述の第２棒状部４３）の長手方向（図１中、矢印Ｈ）は第１棒状部３３の長手方向（図１中、矢印Ｇ）に対して略垂直である。
【００１４】
第２支持部４１は、貫通部材３５が有する貫通孔３５ｈに貫入（内嵌）される第２棒状部４３と、第２棒状部４３の一端に外嵌され取り付けられるキャップ部４５と、を有してなる。
第２棒状部４３は、直線に沿った真っ直ぐの棒状（長手方向（図１中、矢印Ｈ）に対して垂直な断面はいずれも同じ丸棒）をしており、樹脂（ポリプロピレン）製の中空のパイプ４３ａと、中空のパイプ４３ａの内部に挿入された金属棒４３ｂ（ここでは炭素鋼製）と、を有している（特に、図２及び図３を参照されたい。）。第２棒状部４３は、貫通孔３５ｈに貫入（内嵌）されているが、貫通部材３５に対して第２棒状部４３の長手方向（図１中、矢印Ｈ）に沿って移動（スライド）可能に支持されると共に、貫通部材３５に対して第２棒状部４３の軸を中心に回動又は回転（回動等）（図１中、矢印Ｊ）可能に支持されている。
キャップ部４５は、第２棒状部４３の一端に外嵌され取り付けられることで、クリップ５１ａ、５１ｂが第２棒状部４３の一端から不意に脱落することを防止するものである。
【００１５】
一対のクリップ５１ａ、５１ｂはいずれも同じ構造を有しているので、図２乃至図４においてはクリップ５１ａについて示すが、クリップ５１ｂに関する参照番号をかっこ書きにて併記する。クリップ５１ａは、第２棒状部４３を両側から挟み込む一対の挟持腕５３ａ、５５ａ（いずれも板状の部材により形成される）と、挟持腕の一方５３ａの一端５３ａａと他方５５ａの一端５５ａａとが近づく方向に挟持腕５３ａ、５５ａを付勢するバネ５７ａと、を有しており、両一端５３ａａ、５５ａａの間に被支持物（図示せず。例えば、広告媒体たるビラ）を挟持する。同様に、クリップ５１ｂは、第２棒状部４３を両側から挟み込む一対の挟持腕５３ｂ、５５ｂ（いずれも板状の部材により形成される）と、挟持腕の一方５３ｂの一端５３ｂａと他方５５ｂの一端５５ｂａとが近づく方向に挟持腕５３ｂ、５５ｂを付勢するバネ５７ｂと、を有しており、両一端５３ｂａ、５５ｂａの間に被支持物（図示せず。例えば、広告媒体たるビラ）を挟持する。
このようなクリップ５１ａ、５１ｂいずれも、第２棒状部４３（支持棒）の長手方向（図１中、矢印Ｈ）に沿って移動（スライド）可能であると共に、第２棒状部４３（支持棒）を中心に回動又は回転（回動等。図２及び図４において時計回り及び反時計回り）可能であるので、第２棒状部４３（支持棒）に摺動可能に支持されている。
【００１６】
本支持具１１の使用方法について簡単に説明する。
（１）鋼製のテーブル１０３（鋼製）の水平な上面１０１の所望位置に、基礎部分２１の永久磁石２３を吸着させる。
（２）基礎部分２１に対して第１支持部３１を所望位置に回動（図１中、矢印Ｅ）させる。
（３）貫通部材３５を第１棒状部３３に対して所望位置に回動（図１中、矢印Ｆ）させる。
（４）第２棒状部４３を、貫通部材３５に対して第２棒状部４３の長手方向（図１中、矢印Ｈ）に沿って所望位置に移動（スライド）させ、貫通部材３５に対して第２棒状部４３の軸を中心に所望位置に回動等（図１中、矢印Ｊ）させる。
（５）クリップ５１ａ、５１ｂを、第２棒状部４３の長手方向（図１中、矢印Ｈ）に沿って所望位置に移動（スライド）させ、第２棒状部４３を中心に所望位置に回動等させる。
（６）クリップ５１ａ、５１ｂに被支持物（図示せず。例えば、広告媒体たるビラ）を挟持させ支持させる。
以上のようにして、被支持物（図示せず。例えば、広告媒体たるビラ）を本支持具１１によって支持させることができる。なお、上記の（１）乃至（６）は、本支持具１１の使用方法の一例を例示したものであり、適宜順番を変えて行ったり、また不要なものは行わないようにしてよいことは言うまでもない。
【００１７】
以上説明したように、本支持具１１は、支持棒たる第２棒状部４３と、被支持物（例えば、広告媒体たるビラ）を固定し、支持棒たる第２棒状部４３に対して摺動可能に支持される固定手段たるクリップ５１ａ、５１ｂと、を備えてなる、被支持物（例えば、広告媒体たるビラ）を支持する支持具であって、支持棒たる第２棒状部４３の固定手段たるクリップ５１ａ、５１ｂに当接する部分が、樹脂製の棒状部材（ここでは樹脂（ポリプロピレン）製の中空のパイプ４３ａ）により形成されているものである、支持具である。
また、本支持具１１においては、固定手段たるクリップ５１ａが、支持棒たる第２棒状部４３を両側から挟み込む一対の板状又は棒状（ここでは板状）の部材により形成される挟持腕５３ａ、５５ａであって支持棒たる第２棒状部４３を回動軸として所定範囲内で互いに回動可能な一対の挟持腕５３ａ、５５ａと、挟持腕５３ａ、５５ａの一方５３ａの一端５３ａａと他方５５ａの一端５５ａａとが近づく方向に挟持腕５３ａ、５５ａを付勢するバネ５７ａと、を有し、該両一端５３ａａ、５５ａａの間に被支持物（例えば、広告媒体たるビラ）を挟持するものである。同様に、本支持具１１においては、固定手段たるクリップ５１ｂが、支持棒たる第２棒状部４３を両側から挟み込む一対の板状又は棒状（ここでは板状）の部材により形成される挟持腕５３ｂ、５５ｂであって支持棒たる第２棒状部４３を回動軸として所定範囲内で互いに回動可能な一対の挟持腕５３ｂ、５５ｂと、挟持腕５３ｂ、５５ｂの一方５３ｂの一端５３ｂａと他方５５ｂの一端５５ｂａとが近づく方向に挟持腕５３ｂ、５５ｂを付勢するバネ５７ｂと、を有し、該両一端５３ｂａ、５５ｂａの間に被支持物（例えば、広告媒体たるビラ）を挟持するものである。
【００１８】
そして、本支持具１１は、前記支持棒たる第２棒状部４３を摺動可能に支持する支持部材たる第１支持部３１（貫通部材３５）をさらに備えるものであり、前記支持棒たる第２棒状部４３の支持部材たる第１支持部３１（貫通部材３５）に当接する部分が、樹脂製の棒状部材（ここでは樹脂（ポリプロピレン）製の中空のパイプ４３ａ）により形成されている。
さらに、前記支持棒たる第２棒状部４３が、樹脂（ポリプロピレン）製の中空のパイプ４３ａと、該中空のパイプ４３ａの内部に挿入された金属棒４３ｂと、を有するものである。
加えて、本支持具１１においては、前記被支持物が広告媒体（例えば、広告媒体たるビラ）である。
なお、本支持具１１においては、種々の変更を加えることができる。例えば、基礎部分２１の永久磁石２３の代わりに吸盤や平板部材を用いたり、本支持具１１の形状を変更（例えば、特許文献１の図面や考案の実施の形態に記載したようにすることもできる。）したり、固定手段たるクリップの個数を変更したりすることを一例として挙げることができる。
【図面の簡単な説明】
【００１９】
【図１】一例の本考案の支持具（本支持具）を示す正面図である。
【図２】図１のＡ−Ａ断面図である。
【図３】クリップの平面図である。
【図４】図３のＤ−Ｄ断面図である。
【符号の説明】
【００２０】
１１                本支持具
２１                基礎部分
２３                永久磁石
２５                本体部
２７                取付部
２９                連結ねじ
３１                第１支持部
３３                第１棒状部
３５                貫通部材
３５ｈ              貫通孔
４１                第２支持部
４３                第２棒状部
４３ａ              中空のパイプ
４３ｂ              金属棒
４５                キャップ部
５１ａ、５１ｂ      クリップ
５３ａ、５５ａ      挟持腕
５３ａａ、５５ａａ  一端
５３ｂ、５５ｂ      挟持腕
５３ｂａ、５５ｂａ  一端
５７ａ、５７ｂ      バネ
１０１                上面
１０３                テーブル
【図１】
0003119218.tif 000003
【図２】
0003119218.tif 000004
【図３】
0003119218.tif 000005
【図４】
0003119218.tif 000006